(57)【要約】【課題】デザイン性を損なうことなく、撮像装置の小型化、更には放熱性を向上させることができるデジタルカメラを提供すること。【解決手段】ストラップの取付けを可能とする第１の開口（２５ａ）と前記第１の開口（２５ａ）より大きく形成された第２の開口（２５ｂ）を備えたストラップ取付け部（２５）と、前記ストラップ取付け部（２５）が一体に構成された金属製のメインシャーシ（３０）と、ストラップをガイドするガイド部（３５ｂ）を備えたガイド部材（３５）を有する電子機器であって、前記ストラップ取付け部（２５）はヘミング曲げにより、前記第１の開口（２５ａ）と前記第２の開口（２５ｂ）が重なるように形成されていると共に、前記第２の開口（２５ｂ）が前記ガイド部（３５ｂ）と隣接するように形成されていることを特徴とする構成とした。【選択図】図４
2014235207.tif 000002
【特許請求の範囲】
【請求項１】
ストラップの取付けを可能とする第１の開口（２５ａ）と前記第１の開口（２５ａ）より大きく形成された第２の開口（２５ｂ）を備えたストラップ取付け部（２５）と、
前記ストラップ取付け部（２５）が一体に構成された金属製のメインシャーシ（３０）と、
ストラップをガイドするガイド部（３５ｂ）を備えたガイド部材（３５）を有する電子機器であって、前記ストラップ取付け部（２５）はヘミング曲げにより、前記第１の開口（２５ａ）と前記第２の開口（２５ｂ）が重なるように形成されていると共に、前記第２の開口（２５ｂ）が前記ガイド部（３５ｂ）と隣接するように形成されていることを特徴とする電子機器。
【請求項２】
前記第１と第２の開口（２５ａ、２５ｂ）のバリ側（２５ｄ）同士が合わさるように曲げられ、ストラップ取付け部（２５）が形成されていることを特徴とする請求項１に記載の電子機器。
【請求項３】
前記ストラップ取付け部（２５）が外観に露出していることを特徴とする請求項１又は請求項２に記載の電子機器。
【請求項４】
ストラップ取付け部（２５）の開口（２５ａ）の少なくとも一辺を樹脂製のカバー部材（２７、２８）で形成することを特徴とする請求項１乃至請求項３の何れか１項に記載の電子機器。
【請求項５】
ストラップ取付け部（２５）の近傍に配置された音響部材（３６）と、
メインシャーシ（３０）に形成され前記音響部材（３６）を固定し、開口（２５ｇ）を有する腕部（２５ｆ）と、
前記樹脂製のカバー部材（２７、２８）の前記音響部材（３６）と対向する位置に形成された穴部（２７ａ）を有することを特徴とする請求項１乃至請求項４の何れか１項に記載の電子機器。
【発明の詳細な説明】
【技術分野】
【０００１】
本発明は、ストラップ取付け部を備えた電子機器に関するものである。
【背景技術】
【０００２】
従来、撮像素子から出力される画像信号・画像情報等をデータファイルとして記録するデジタルカメラが広く普及している。デジタルカメラはズームレンズで撮像素子上に光学像を結像させ、撮像素子にて光電変換して得られた画像データ、例えばＪＰＥＧ等のファイル形式の画像データに圧縮処理が施される。
【０００３】
このようなデジタルカメラは、小型化のため内部メカ構造の省スペース化や、電気部品の高密度化が進んでいる中で、高性能化の一つの要素として高画素化が急速に進んでいる。この高画素化に伴い、撮像素子から得られたアナログ信号をデジタル信号に変換する素子や、デジタル信号をユーザーが求める最適な状態に変換する演算処理を行う画像処理用半導体素子等は、処理回数が増大している。そして、これらの素子は高速処理を行うために高周波で稼働させるが、１画素を処理するための最低限の電荷は殆んど減少していないため、発熱量は増加する傾向にある。
【０００４】
一方、小型化に伴い、内部の放熱空間は少なくなる傾向にあり、内部空間に放熱しきれずに蓄積された熱によって撮像素子の温度が上昇し画質が劣化したり、他の内部素子等にダメージを与えてしまうことがある。また、内部の熱がデジタルカメラの外装部品に移動することによって表面温度が上昇し、ユーザーが把持している際に不快に感じてしまうことがある。
【０００５】
これらの問題に対して、特許文献１では撮像素子の裏面に配置された放熱板と、該放熱板から延設される放熱路と、該放熱路の先端に三脚ネジと螺合するネジ穴を備えた放熱部と、を有することを特徴とする撮像素子の放熱構造が紹介されている。
【先行技術文献】
【特許文献】
【０００６】
【特許文献１】特開２００６−２１１０９１号公報
【発明の概要】
【発明が解決しようとする課題】
【０００７】
上述の特許文献１によれば、熱が伝わった三脚ネジは高温となるが、デジタルカメラを把持している際にユーザーが三脚ネジに触れることは少ない。また、デジタルカメラ外部に露出している三脚ネジは、外気に触れることで冷却効果が期待できるため、従来デジタルカメラは放熱板を用いて三脚ネジに熱を伝える構成が多く採用されている。
【０００８】
しかしながら、上述の特許文献に開示された技術だけでは、デジタルカメラの小型化や、高画素化に伴う熱の放熱が限界になりつつある。
【０００９】
そこで、本発明はデザイン性を損なうことなく、撮像装置の小型化、更には放熱性を向上させることができるデジタルカメラを提供することを目的とする。
【課題を解決するための手段】
【００１０】
上記目的を達成するために、本発明は、ストラップの取付けを可能とする第１の開口（２５ａ）と前記第１の開口（２５ａ）より大きく形成された第２の開口（２５ｂ）を備えたストラップ取付け部（２５）と、
前記ストラップ取付け部（２５）が一体に構成された金属製のメインシャーシ（３０）と、
ストラップをガイドするガイド部（３５ｂ）を備えたガイド部材（３５）を有する電子機器であって、前記ストラップ取付け部（２５）はヘミング曲げにより、前記第１の開口（２５ａ）と前記第２の開口（２５ｂ）が重なるように形成されていると共に、前記第２の開口（２５ｂ）が前記ガイド部（３５ｂ）と隣接するように形成されていることを特徴とする構成とした。
【発明の効果】
【００１１】
本発明によれば、デザイン性を損なうことなく、小型化、放熱性の向上が可能なデジタルカメラを提供することができる。
【図面の簡単な説明】
【００１２】
【図１】本発明のデジタルカメラ１０の外観を示す、正面側から見た斜視図である。
【図２】本発明のデジタルカメラ１０の内部構成を示す分解斜視図である。
【図３】本発明のデジタルカメラ１０のストラップ取付け部２５を側面から見た拡大図である。
【図４】本発明のデジタルカメラ１０のストラップ取付け部２５を示す図３のＡ−Ａ断面を示す断面図である。
【図５】本発明のデジタルカメラ１０の右側面図である。
【発明を実施するための形態】
【００１３】
［実施例１］
以下、本発明の第１の実施例について図１〜図５を用いて詳細に説明する。
【００１４】
図１に示すように、デジタルカメラ１０の前面には被写体像を撮像素子に結像する沈胴式の光学系撮影レンズ鏡筒２０が配置されている。撮影レンズ鏡筒２０には、光学像を光電変換して画像デ−タを生成するＣＣＤやＣＭＯＳイメ−ジセンサ等の撮像素子（不図示）が実装されている。撮像素子（不図示）で生成した画像デ−タは、デジタルカメラ１０に実装された信号処理基板(不図示)の処理回路によりデジタル情報に変換される。
【００１５】
信号処理基板には、カードＩ／Ｆ等を含む記録媒体スロットや撮像部、画像処理部、システム制御部、シリアルＩ／Ｆ等が実装されている。
【００１６】
デジタルカメラ１０の上面にはデジタルカメラ１０の電源オンとオフの操作を行う電源ボタン２１が配置されている。その前方には、撮像準備および撮像操作の指示を行うレリーズボタン２２が設けられている。レリーズボタン２２を半押し操作すると、撮影準備動作（測光動作や測距動作等）が開始される。レリーズボタン２２を全押し操作すると、被写体を撮影し、収納室に挿着した記録媒体に被写体像の画像デ−タを記録する。レリーズボタン２２の外周部には、レリーズボタン２２を中心に所定の角度で回動し、撮影画角の変更を行うズームレバー２３が配置されている。
【００１７】
デジタルカメラ１０の筺体上面から見て時計回りに回転させると、撮影レンズ鏡筒２０がテレ側（画角が狭くなる方向）にズ−ム動作を行い、逆に反時計回りに回転させると撮影レンズ鏡筒２０がワイド側（画角が広がる方向）にズ−ム動作を行う。電源ボタン２１の横にはモードダイヤル２４が配置されている。モードダイヤル２４は回転させることで、マニュアルモード、絞り優先モード、シャッター速度優先モード、動画モードなどのモードを切り替えることができる。２５、２６はストラップ取付け部であり、紐状のストラップを開口に通すことでデジタルカメラ１０にストラップを取付けることができる。
【００１８】
図２は本発明のデジタルカメラ１０の内部構成を示す分解斜視図である。デジタルカメラ１０は樹脂製の前カバー２７、後カバー２８、上面カバー２９で覆われている。デジタルカメラ１０の内部にはメインシャーシ３０が備えられている。メインシャーシ３０には撮影レンズ鏡筒２０、電池収納室３１、ストロボユニット３２、信号処理基板であるところのメイン基板３３、他の電子機器と無線で通信するための無線基板３４などが不図示のビスで固定されている。
【００１９】
メインシャーシ３０は熱伝導性の良好な金属の板材を用いて形成されている。よって、発熱源となる素子を実装したメイン基板３３や無線基板３４をメインシャーシ３０に固定することで、基板自体や素子から発生した熱を基板上のパターンを介してメインシャーシ３０に伝熱し、拡散し易い構成としている。メインシャーシ３０にはストラップ取付け部２５が一体に形成されている。
【００２０】
図３、４を用いてストラップ取付け部２５について説明する。図３はストラップ取付け部２５を側面から見た拡大図、図４は図３のＡ−Ａ断面を示す断面図である。ストラップ取付け部２５はユーザーがストラップ紐を誤って引っ掛けて過度の力で引っ張ってしまった場合でもストラップ取付け部２５が変形し難いよう、折り返し形状、所謂ヘミング曲げにより堅固に形成されている。ストラップ取付け部２５には外観側の開口２５ａと内側の開口２５ｂが形成されている。開口２５ｂはデジタルカメラ１０の外側から見た際に、開口２５ａから見えないように開口２５ａよりも大きく形成されている。
【００２１】
これは、もし開口２５ｂが開口２５ａと同一、または僅かに小さいと折り返し加工のバラツキにより穴同士がずれてしまった場合、外観として美麗でないためである。開口２５ａと開口２５ｂの外側のエッジ２５ｃは、ストラップを取付けて使用している際にエッジでストラップ紐が切れないように、プレス加工時に抜きダレ側となっている。また、開口２５ａと開口２５ｂの内側のエッジ２５ｄはプレス加工時にバリ側となっているため、面打ちなどの処理でバリを軽減することでストラップが切れないようにしている。ストラップ取付け部２５にはストラップガイド部材３５が固定される。ストラップガイド部材３５にはダボ３５ａが形成されており、ストラップ取付け部２５に形成された穴部２５ｅに挿入されることで位置決めされ、ビス３６により締結される。ストラップガイド部材３５は曲面３５ｂを有し、ストラップ紐を開口２５ａ側から挿入すると、曲面３５ｂにより上方向にガイドされ上面から出てくるように構成されている。
【００２２】
これにより、ユーザーはストラップ紐を容易に取り付けることができる。ストラップガイド部材３５の下部には凹部３５ｃが形成されており、スピーカー３６が挿入される。スピーカー３６は上からストラップ取付け部２５の下部に形成された腕部２５ｆで覆うことにより固定されている。腕部２５ｆにはスピーカー３６の音を遮蔽しないように開口２５ｇが形成されている。
【００２３】
図５はデジタルカメラ１０の右側面図である。ストラップ取付け部２５は外観に露出しており、開口２５ａの左部、右部、下部は前カバー２７、後カバー２８で覆われている。ストラップ取付け部２５は外観に露出することで、外気に触れることができるためデジタルカメラ１０内の熱を効率的に放熱することができる。側面には図２に示したように、熱源となる素子が実装された無線基板３４がメインシャーシ３０に固定されている。無線基板３４の熱はメインシャーシ３０内を伝わりストラップ取付け部２５にも伝わる。前カバー２７にはスピーカー３６の音を外部に伝える穴部２７ａが形成されており、ストラップ取付け部２５に伝わる熱は外観露出部より放熱されると同時に、腕部２５ｆにも伝わり、前カバー２７の穴部２７ａから外部に放熱される。
【００２４】
よって、外観に露出しているストラップ取付け部２５が熱くなり過ぎることが無くなると共に効率良く無線基板３４の熱を放熱することができる。
【００２５】
以上説明したように、本実施例によれば、ストラップ取付け部２５をヘミング曲げにより外観側の開口２５ａと内側の開口２５ｂが重なるように形成し、外観側の開口２５ａが内側の開口２５ｂより小さくなるように構成している。よって側面から見た際に開口が二重になって見えることがない。また、ストラップ取付け部２５の開口２５ａの左部、右部、下部を前カバー２７と後カバー２８で覆うため金属の端面が外観に露出することがないためデザイン性を損なうことがない。
【００２６】
また、ストラップ取付け部２５を熱伝導性の良好な金属製のメインシャーシ３０と一体に形成しているためストラップ取付け部２５を薄く形成でき、デジタルカメラ１０を小型化することができる。さらに熱源となる素子を実装したメイン基板３３や無線基板３４の熱をメインシャーシ３０内で拡散すると共に外部に露出したストラップ取付け部２５やスピーカー３６の音を外部に伝える穴部２７ａから外部に放熱することができる。
【００２７】
本発明は以上説明した実施形態に限定されることなく、種々の変形や変更が可能なことはもちろんである。例えば、本実施例ではストラップ取付け部の開口２５ａの４辺を外観に露出させたが、開口２５ａの左辺、右辺、下辺より前カバー２７と後カバー２８の形状を凸にさせて、前カバー２７と後カバー２８で開口の一部を形成してもよい。これにより、ストラップ紐が金属製のストラップ取付け部２５の開口２５ａ、２５ｂのエッジに触れる部分が少なくなるため、ストラップ紐が切れるリスクをより軽減することができる。
【００２８】
また、本実施例ではストラップ取付け部２５の下部にスピーカー３６を配置したが、マイクを配置し、前カバー２７に外部の音を取り込む穴を設けることで、デジタルカメラ１０内の熱を放熱するようにしてもよい。
【符号の説明】
【００２９】
２５・・・ストラップ取付け部
２５ａ・・・第１の開口
２５ｂ・・・第２の開口
２５ｄ・・・第１、第２の開口のバリ側
２５ｆ・・・腕部
２５ｇ・・・開口
２７、２８・・・樹脂製のカバー部材
２７ａ・・・穴部
３０・・・メインシャーシ
３５・・・ガイド部材
３５ｂ・・・ガイド部
３６・・・音響部材
【図１】
2014235207.tif 000003
【図２】
2014235207.tif 000004
【図３】
2014235207.tif 000005
【図４】
2014235207.tif 000006
【図５】
2014235207.tif 000007